(57)【要約】【課題】水切りを下枠を簡単に取付けできる窓とする。【解決手段】窓枠１の下枠５に水切り１０を取付けた窓において、その水切り１０を、下枠５の下面５ａに対向する取付部１１と、下枠５の室外側部５ｂよりも室外側に張り出す水切り部１２とよりなり、その取付部１１を下枠５の下面５ａに固着して取付けるものとし、前記水切り１０の取付部１１に、前記下枠５に設けた係止受片５ｄに係止することで、水切り１０を下枠５に支持する係止片１３を設けた窓で、その係止片１３を係止受片５ｄに係止して水切り１０を下枠５に支持し、その状態で取付部１１を下枠５の下面５ａに固着して取付けることができるから、その水切り１０を下枠５に簡単に取付けできる。【選択図】図２
2006328949.tif 000002
【特許請求の範囲】
【請求項１】
窓枠の下枠に取付ける水切りであって、
前記下枠の下面に対向する取付部と、その下枠の室外側部よりも室外側に張り出した水切り部とからなり、
この取付部の上面が下枠の下面に固着して取付けでき、前記取付部には、前記下枠の下面に設けた係止受片に係止して水切りを下枠に支持する係止片を設けたことを特徴とする水切り。
【請求項２】
取付部に設けた係止片を下枠の係止受片に係止した状態で、その係止部を支点として室内側部を上向きに傾動可能で、前記取付部を下枠の下面に接着又はビスで固着して取付けできるようにした請求項１記載の水切り。
【請求項３】
取付部の上面に、その取付部を下枠の下面に取付けるための接着性を有するシール材が設けられた請求項１又は２記載の水切り。
【請求項４】
窓枠の下枠に水切りを取付けた窓であって、
前記水切りは、前記下枠の下面に対向する取付部と、その下枠の室外側部よりも室外側に張り出した水切り部とからなり、
前記下枠の下面に係止受片を設け、前記水切りの取付部に、前記係止受片に係止して水切りを下枠に支持する係止受片を設け、前記水切りの取付部を下枠の下面に取付けしたことを特徴とする窓。
【請求項５】
係止受片と係止片を、その係止片を係止受片に係止した状態で水切りを室内側部を上向きに傾動可能な形状とし、
前記取付部を下枠の下面に接着又はビスで固着して取付けた請求項４記載の窓。
【請求項６】
取付部を下枠の下面に、接着性を有するシール材で接着して取付けた請求項４又は５記載の水切り。
【発明の詳細な説明】
【技術分野】
【０００１】
本発明は、水切り及びその水切りを備えた窓に関する。
【背景技術】
【０００２】
従来から窓枠に障子を装着した窓、窓枠にガラスを装着した窓は種々知られている。
この窓を建物開口部に取付けた時に、窓枠に沿って流れ落ちた雨水等が窓下の建物外壁に流れ、その建物外壁が汚れることがある。
このことを防ぐには、窓枠の下枠に、その建物外壁から大きく突出した水切りを設け、その水切りから落下した雨水等が建物外壁に接しないようにしている。
例えば、特許文献１に開示したように、窓枠の下枠を、室外側下面に垂直片を有する形状とし、水切りを室内外側方向中間に段差部を有する形状とし、その水切りの段差部を下枠の垂下片にビスで固着して下枠に水切りを取付けた窓が提案されている。
この窓であれば、縦枠に沿って流れた雨水等や下枠に沿って長手方向に流れた雨水等が水切りに沿って流れ落ちるので、その雨水等が建物外壁に沿って流れ落ちることがなく、建物外壁を雨水等で汚すことがない。
【０００３】
【特許文献１】実公平１−７８２４号公報
【発明の開示】
【発明が解決しようとする課題】
【０００４】
前述した従来の窓においては、作業者が水切りの段差部を下枠の垂下片に押しつけて保持し、その状態でビスを螺合操作して水切りを下枠に固着して取付けるので、その水切りの取付け作業が面倒である。
【０００５】
本発明の目的は、水切りを下枠に簡単に取付けできるようにした水切り及びその水切りを備えた窓とすることである。
【課題を解決するための手段】
【０００６】
本発明の水切りは、窓枠の下枠に取付ける水切りであって、
前記下枠の下面に対向する取付部と、その下枠の室外側部よりも室外側に張り出した水切り部とからなり、
この取付部の上面が下枠の下面に固着して取付けでき、前記取付部には、前記下枠の下面に設けた係止受片に係止して水切りを下枠に支持する係止片を設けたことを特徴とする水切りである。
【０００７】
本発明の水切りにおいては、取付部に設けた係止片を下枠の係止受片に係止した状態で、その係止部を支点として室内側部を上向きに傾動可能で、前記取付部を下枠の下面に接着又はビスで固着して取付けできるようにできる。
このようにすれば、水切りの係止片を下枠の係止受片に係止し、その係止部を支点として傾動することで、水切りの取付部を下枠の下面に接することができるから、水切りを下枠により一層簡単に取付けできる。
【０００８】
本発明に水切りにおいては、取付部の上面に、その取付部を下枠の下面に取付けるための接着性を有するシール材を設けることができる。
このようにすれば、取付部を下枠の下面に接着して固着することで取付けでき、その水切りの取付けがより簡単である。
しかも、取付部と下枠の下面との間がシールされるから、雨水等が取付部と下枠の下面との間から建物躯体まで浸入することを防止できる。
【０００９】
本発明の窓は、窓枠の下枠に水切りを取付けた窓であって、
前記水切りは、前記下枠の下面に対向する取付部と、その下枠の室外側部よりも室外側に張り出した水切り部とからなり、
前記下枠の下面に係止受片を設け、前記水切りの取付部に、前記係止受片に係止して水切りを下枠に支持する係止受片を設け、前記水切りの取付部を下枠の下面に取付けしたことを特徴とする窓である。
【００１０】
本発明の窓においては、係止受片と係止片を、その係止片を係止受片に係止した状態で水切りを室内側部を上向きに傾動可能な形状とし、
前記取付部を下枠の下面に接着又はビスで固着して取付けできる。
このようにすれば水切りの係止片を下枠の係止受片に係止した状態で、その係止部を支点として水切りを傾動して取付部を下枠の下面に接することができるので、水切りを下枠により一層簡単に取付けできる。
【００１１】
本発明の窓においては、取付部を下枠の下面に、接着性を有するシール材で接着して取付けできる。
このようにすれば、水切りの取付けがより簡単である。
しかも、取付部と下枠の下面との間から雨水等が建物躯体まで浸入することを防止できる。
【発明の効果】
【００１２】
本発明の水切りを用いた窓、本発明の窓によれば、係止片を係止受片に係止することで水切りを下枠に支持できるから、その水切りを下枠に簡単に取付けできる。
【発明を実施するための最良の形態】
【００１３】
図１に示すように、窓枠１に障子２を装着して窓３としてある。
前記窓枠１は上枠４と下枠５と左右の縦枠６で方形状である。この実施の形態では窓枠１の室内側寄りと室外側寄りに障子２が左右方向（前記左右の縦枠６，６方向）に移動自在にそれぞれ装着されて引き違い窓としてある。なお、窓枠１にガラスを装着した嵌め殺しタイプの窓でも良い。
前記下枠５には水切り１０が取付けてある。
この水切り１０は図２、図３に示すように、下枠５の下面５ａと対向した取付部１１と、下枠５の室外側部５ｂよりも室外側に張り出すと共に、左右の縦枠６よりも左右側方に張り出した水切り部１２を有する。
【００１４】
前記水切り１０の取付部１１の上面１１ａと下枠５の下面５ａとの間はシール材でシール（水密）されている。
これによって、縦枠６に沿って流れて水切り部１２に落下した雨水等が水切り１０の取付部１１の上面１１ａと下枠５の下面５ａとの間に流れ込んだり、強風雨時などに雨水等が前記間に流れ込むことがない。
したがって、水切り１０の上面と下枠５の下面５ａとの間から雨水等が、前記下枠５を取付けた建物躯体７まで流れ、その建物躯体７に侵入することがない。
【００１５】
次に、各部材の具体形状を説明する。
前記下枠５は図２に示すように、その下面５ａの室内側部に垂下片５ｃを一体的に有し、その下面５ａの室外側部に係止受片５ｄを一体的に有する。この係止受片５ｄは縦片５ｅと室内側に向かう横片５ｆで鉤形状である。
前記垂下片５ｃを建物躯体７の室外側面７ａに固着具８で固着して下枠５を取付ける。
この建物躯体７の室外側面７ａに外壁材９を取付けて建物外壁としてある。
この実施の形態の下枠５は、前述の建物躯体７の室外側面７ａよりも室内側の部分５ｇを有している。つまり、半外付けタイプの下枠である。
つまり、前述の下枠５の下面５ｂとは、下枠５における建物躯体７の室外側面７ａよりも室外側部分の下面である。なお、前述の下枠５は断熱タイプであるが、これに限ることはなく、室内側部分と室外側部分が一体のタイプでも良い。
【００１６】
前記水切り１０の取付部１１には係止片１３が設けてある。
この係止片１３が前記下枠５の係止受片５ｄに係止することで水切り１０は下枠５に自重で落ちないように支持される。この係止片１３は、縦片１３ａと、その縦片１３ａに設けた室外側に向かう横片１３ｂを備え、この横片１３ｂが係止受片５ｄの横片５ｆに係止する。
【００１７】
そして、水切り１０を前述のようにして下枠５に支持した状態で、取付部１１を下枠５の下面５ａに接着剤又はビスで固着することで、水切り１０を下枠５に取付ける。
これによって、水切りを下枠５の下面５ａに簡単に取付けできる。
【００１８】
前記水切り１０を図２〜図５に基づいて説明する。
前記水切り１０は室内側部分１０−１と、この室内側部分１０−１と段差部１０−２を介して連続した室外側部分１０−３を備え、その室内側部分１０−１の長さＬ１は窓枠１の左右幅と同一で、下枠５の下面５ａと対向し、前記取付部の一部である。
前記室外側部分１０−３の長さＬ２は窓枠１の左右幅よりも長く、下枠５の下面５ａと対向した前記取付部１１の一部と前記水切り部１２を有する。
この室内側部分１０−１は前記外壁材９の室外側面９ａよりも室内側に位置し、この室内側部分１０−１と下枠５の下面５ａとの間が室内側シール材でシールされる。例えば両面テープなどの接着性を有する室内側シール材２０が長手方向全長に亘って接着して設けられ、この室内側シール材２０が下枠５の下面５ａに接着してシールする。
なお、接着剤とシール材を別々としても良い。
【００１９】
この室外側部分１０−３の室内側寄りにおける長手方向両側部分には一対の室外側シール材２１が設けてある。この室外側シール材２１は前記室内側シール材２０と接して連続し、下枠５の下面５ａの長手方向両端部にそれぞれ接している。
この室外側シール材２１としては水密スポンジなどが用いられる。
前記室外側部分１０−３の室内外側方向中間部における長手方向中間部に、前記係止片１３が設けてある。
前記係止片１３と前記段差部１０−２に室外側シール材２１がそれぞれ接していると共に、この係止片１３は前記外壁材９の室外側面９ａよりも室外側寄りである。
【００２０】
前記室外側シール材２１と外壁材シール材２２とは連続している。つまり、窓枠１（縦枠６）と外壁材９との間をシールしている外壁材シール材２２と前記室外側シール材２１が接触して連続している。
【００２１】
このようであるから、一対の室外側シール材２１と長尺な室内側シール材２０とで水切り１０の上面（取付部１１の上面１１ａ）と下枠５の下面５ａとの間を確実にシールして雨水等が建物躯体７まで流れることを防止できる。
【００２２】
また、水切り１０に室内側シール材２０と一対の室外側シール材２１を取付け、その状態で水切り１０を室外側部が高く室内側部が低くなるように水平に対して斜めの姿勢とし、係止片１３（横片１３ｂ）を下枠５の係止受片５ｄ（横片５ｆ）に係止させる。
この状態で、水切り１０を前述の係止部を支点として室内側部を上向きに傾動することによって室内側シール材２０を下枠５の下面５ｂに接着することによって、水切り１０を下枠５に取付ける。
このようであるから、水切り１０を簡単に取付けできる。
【００２３】
前記水切り１０の係止片１３は、図４に示すように長手方向の複数個所が切欠きされ、室外側シール材２１によるシール部を越えて浸入した雨水等を切欠き部１３ｃから排出できるようにしてある。
なお、連窓に用いる水切りの場合には、図４に仮想線で示すように連窓の方立（キャップ）と対向する部分を切欠きする。
【００２４】
前記水切り１０の好ましい形状を図４、図５に基づいて説明する。
前記水切り１０は、横板１４と室外側垂下板１５を備え、その横板１４は室内側横板１６と縦板１７と室外側横板１８とで階段形状である。この室内側横板１６は水平で、室外側横板１８は傾斜している。
前記室内側横板１６が前述の室内側部分１０−１で、縦板１７が段差部１０−２で、室外側横板１８と室外側垂下板１５が前述の室外側部分１０−３である。
前記室外側横板１８の室内外側方向中間の上面に前記係止片１３が一体的に設けてある。
この係止片１３と前記縦板１７との間に室外側シール材２１を設け、この室外側シール材２１が係止片１３と縦板１７にそれぞれ接している。
この室外側シール材２１が下枠５の下面５ａの室外側寄りに接し、縦板１７よりも室外側に空洞部を形成する。
図２、図３に示すように、前記水切り１０の室外側部分１０−３の長手方向の両端部にはキャップ１９がそれぞれ取付けてある。
【００２５】
前述の実施の形態では、水切り１０の室内側部分１０−１（つまり、取付部）を下枠５の下面５ａに接着して固着したが、ビスで固着しても良い。
【００２６】
前述の実施の形態では、室内側シール材２０と室外側シール材２１に区分したが一体のシール材を用いても良い。
例えば、図６に示すように水切り１０の取付部１１を水平な直線形状とし、かつシール材２３を下枠５の全長に亘って均一に設けて下枠５の下面５ａに接する。
この場合にもシール材２３は接着性を有するシール材としたり、ビスで固着しても良い。
【図面の簡単な説明】
【００２７】
【図１】本発明の実施の形態を示す窓の概略外観図である。
【図２】図１のＡ−Ａ拡大詳細断面図である。
【図３】図１のＢ−Ｂ拡大詳細横断面図である。
【図４】水切りの平面図である。
【図５】水切りの側面図である。
【図６】本発明の第２の実施の形態を示す下枠部分の断面図である。
【符号の説明】
【００２８】
１…窓枠、２…障子、３…窓、５…下枠、５ｂ…下面、５ｄ…係止受片、６…縦枠、１０…水切り、１１…取付部、１２…水切り部、１３…係止片。
【図１】
2006328949.tif 000003
【図２】
2006328949.tif 000004
【図３】
2006328949.tif 000005
【図４】
2006328949.tif 000006
【図５】
2006328949.tif 000007
【図６】
2006328949.tif 000008